(57)【要約】【課題】バックフレームにバックシートが取り付けられた背もたれにおいて、強度低下を生じることなくクッション性・フィット性を向上させる。【解決手段】背もたれ５は、バックフレーム１６とこれに縁部が取り付けられたバックシート１７とを有する。バックシート１７はエラストマー製であり、多数の凸部１７ａ，１７ｄと凹部１７ｂ，１７ｃとが交互に形成されて蛇腹構造になっている。このため着座者の体圧で容易に伸び変形し、着座者の身体に馴染む。従って、高いフィット性・クッション性を確保できる。                                    【選択図】図８
2013103066.tif 000002
【特許請求の範囲】
【請求項１】
着座者の体圧を受ける樹脂製の身体支持シートと、前記身体支持シートの縁部が取り付くシート支持フレームとを有しており、前記身体支持シートの表裏両面に多数の凹凸が並ぶように形成されている構成であって、
前記身体支持シートは、表面の凸部と裏面の凹部とが重なった凹凸断面形状とすることにより、着座者の体圧で伸び変形することが許容されている、
椅子の身体受け部。
【請求項２】
前記シート支持フレームは前後に開口したバックフレームである一方、前記身体支持シートは少なくとも左右側部が前記バックフレームに取り付けられたバックシートであり、前記バックシートの表裏に縦長の凹溝と凸条とが左右方向に多数並ぶように交互に多数形成されている、
請求項１に記載した椅子の身体受け部としての背もたれ。
【請求項３】
前記バックシートはエラストマー製であり、このバックシートは、着座者の腰部が当たるランバーサポート部を有するように縦断側面視で前向き凸状に曲がっており、前記凹部と凸部とは、前記ランバーサポート部の箇所おいて左右間隔が狭くて上に行くと広がるように非平行に形成されている、
請求項２に記載した椅子の背もたれ。
【発明の詳細な説明】
【技術分野】
【０００１】
本願発明は、椅子の身体受け部及びその一例としての背もたれに関する。ここに、椅子用身体受け部には、背もたれの他に、座、ハンガー、アームレスト、ショルダーレストなどが含まれる（ショルダーレストは背もたれと同一視することも可能である。）。
【背景技術】
【０００２】
椅子の背もたれや座は、クッション性やフィット性を保持させるために種々の方策が講じられている。最も一般的なのは背もたれ板や座板にクッションを張ることであるが、背もたれ板や座板自体を柔軟な構造として、これにクッション性やフィット性を持たせることも提案されている。
【０００３】
その一例として特許文献２には、身体を支持するシートをエラストマー製として、このシートに多数の穴を空けることが記載されている。また、本願出願人は、特許文献２において、例えは背もたれ板をエラストマー製として、その表面（前面）に縦長のリブを多数形成することを開示した。
【先行技術文献】
【特許文献】
【０００４】
【特許文献１】特開２００３−２８４６２５号公報
【特許文献２】特開２００８−０８００９０号公報
【発明の概要】
【発明が解決しようとする課題】
【０００５】
特許文献１のようにシートに多数の穴を空けると、伸び変形は容易なるが強度が低下するため、大きな荷重が掛かると穴の縁に応力が集中してシートが裂ける虞がある。また、特許文献１では、穴は多段に多数形成されているものの、各段の穴は左右方向に一列に並んでいるため、上下に隣り合った穴の段の間は左右方向に引っ張っても対して伸びることはない。このため、特許文献１のシートはあまり大きく伸びることはなく、このため高いフィット性・クッション性を得難いという問題も懸念される。
【０００６】
他方、特許文献２のものは伸び変形よりも曲がり変形を主眼として開発されたものであり、背板の場合、左右両側部は拘束されておらず自由端の状態になっているため、身体に馴染むように変形して高いフィット性を有している。また、穴を空けるものではないため強度にも優れている。
【０００７】
本願発明はこのような現状に鑑み成されたもので、特許文献１のように外周部をシート支持フレームに取り付けたタイプの身体支持部でありながら、高い強度を保持しつつフィット性・クッション性等に優れた身体支持部を提供せんとするものである。
【課題を解決するための手段】
【０００８】
本願発明は、上位概念として身体支持部とその具体例としての背もたれとを含んでいる。請求項１の発明は身体受け部に関するもので、この発明は、着座者の体圧を受ける樹脂製の身体支持シートと、前記身体支持シートの縁部が取り付くシート支持フレームとを有しており、前記身体支持シートの表裏両面に多数の凹凸が並ぶように形成されている構成であって、前記身体支持シートは、表面の凸部と裏面の凹部とが重なった凹凸断面形状とすることにより、着座者の体圧で伸び変形することが許容されている。
【０００９】
請求項２の発明は請求項１の発明を背もたれに適用したものであり、この発明では、前記シート支持フレームは前後に開口したバックフレームである一方、前記身体支持シートは少なくとも左右側部が前記バックフレームに取り付けられたバックシートであり、前記バックシートの表裏に縦長の凹部と凸部とが左右方向に多数並ぶように多数形成されている。
【００１０】
請求項３の発明は請求項２を具体化したもので、この発明では、前記バックシートはエラストマー製であり、このバックシートは、着座者の腰部が当たるランバーサポート部を有するように縦断側面視で前向き凸状に曲がっており、前記凹部と凸部とは、前記ランバーサポート部の箇所おいて左右間隔が狭くて上に行くと広がるように非平行に形成されている。
【発明の効果】
【００１１】
本願発明では、身体支持シートは波形やジグザグのような断面形状になっているため、体圧によって容易に伸び変形する。このため、高いフィット性・クッション性を発揮する。そして、身体支持シートは穴やスリットを空けることで伸び変形を許容したものではないため、強度と耐久性とに優れている（なお、本願発明は、強度を確保した状態で穴をスリットを空けることを排除しない。）。
【００１２】
凹部と凸部との延び方向及び並び方向は用途に応じて設定したら良いが、背もたれに適用する場合は、請求項２のように、凹部と凸部とは上下方向に長く延びて左右方向に凹凸が連続する形態と成すのが好ましい。すなわち、凹部と凸部とが上下方向に長く延びて左右方向に凹凸が連続する形態であると、着座者の体圧が掛かることでバックシートは左右方向に伸び変形することになり、このため、身体に馴染むように変形して高いフィット性・クッション性を得ることができる。
【００１３】
バックシート等の身体支持シートの材質には制限はなく、例えばポリエチレンやポリプロピレンといった樹脂も採用できるが、請求項３のようにバックシートの素材としてエラストマーを採用すると、身体やの当たりが柔らかくなるため好適である。また、バックフレームは側面視形状も身体に倣うように変形し得るため、フィット性・クッション性がより一層優れている。更に、請求項３では、凹部と凸部との密度がランバーサポート部において高くなるため、ランバーサポート部が過度に変形し易くなることを防止して、ランバーサポート機能をしっかりと保持できる。
【図面の簡単な説明】
【００１４】
【図１】実施形態に係る椅子の外観を示す図で、（Ａ）は実施形態に係る椅子の正面図、（Ｂ）は側面図である（背もたれの凹凸は省略している。）。
【図２】（Ａ）は椅子の平面図、（Ｂ）は背面図である（背もたれの凹凸は省略している。）。
【図３】ベース及び背フレームの分離斜視図である。
【図４】背もたれの正面図である。
【図５】背もたれを後ろから見た斜視図である。
【図６】（Ａ）は背もたれを後ろから見た分離斜視図、（Ｂ）は図４のVIB-VIB 視断面図、（Ｃ）は図４のVIC-VIC 視断面図である。
【図７】背もたれの上部を後ろから見た分離斜視図である。
【図８】（Ａ）は図４の VIII-VIII視断面図、（Ｂ）は変形例を示す部分拡大図である。
【発明を実施するための形態】
【００１５】
次に、本願発明の実施形態を図面に基づいて説明する。以下の説明では方向を特定するため「前後」「左右」の文言を使用するが、この前後左右の文言は着座した人を基準にしている。正面視方向は着座した人と対峙した方向であり、従って、正面視での左右と着座した人から見た左右とは逆になる。
【００１６】
(1).椅子の概略
まず、椅子の概要を主として図１〜図３に基づいて説明する。本実施形態は事務用等に多用されている回転椅子に適用しており、椅子は、脚支柱１及びキャスタを有する脚装置２と、脚支柱２の上端に固定したベース３と、ベース３の上に配置した座４と、着座した人がもたれ掛かり得る背もたれ５とを有している。図３に示すように、ベース２は上向きに開口した箱状に形成されている。
【００１７】
ベース３の上には、図１（Ｂ）に僅かに表れている金属板製の中間金具（座受け金具）６が配置されており、この中間金具６に樹脂製の座アウターシェル６ａが取り付けられている。座４は、樹脂製の座インナーシェル（座板）とその上面に重ね配置した座クッション材とを有しているが、本願との直接の関係はないので説明は省略する。
【００１８】
図１に示すように、ベース４には背フレーム７が後傾動自在に連結されており、この背フレーム７に背もたれ５が取り付けられている。図３に示すように、背フレーム７は、前部背フレーム７ａと後部背フレーム７ｂとで構成されている。前部背フレーム７ａはアルミ等の金属ダイキャスト品であり、上下に開口した形態を呈している。前部背フレーム７a は、その前部に設けた軸受け部９が支軸９でベース３に連結されている。前部背フレーム７ａの後傾動は、ベース３に内蔵されたロッキング用ばね手段（図示せず）で弾性的に支持されている。
【００１９】
後部背フレーム７ｂは、ねじで前部背フレーム７ａに固定されている。なお、後部背フレーム７ｂは前部背フレーム７ａの後端部に上から重なっているが、後部背フレーム７ｂの前端に左右一対のアーム部１０を前向きに突設し、このアーム部１０を、前部背フレーム７ａの下面に形成した嵌合部（図示せず）に下方から嵌めている。従って、前部背フレーム７ａには、アーム部１０を上から差し込みできる穴が上下に開口している。前後背フレーム７ａ，７ｂの連結に際しては、アーム部１０を下向きの姿勢にしてから前部背フレーム７ａの穴に差し込み、次いで、アームが１０が前部背フレーム７ａに下から重なるように後部背フレーム７ｂを倒すという手順を採ることになる。
【００２０】
後部背フレーム７ｂ、第１背フレーム７に固定された基部１１とその左右両端部から上向きに突出した角状の背支柱１２とを有しており、背支柱１２の上端部に背もたれ５が前後傾動可能に連結されていると共に、基部１１の左右中間部には、背もたれ５の初期角度を調節するための左右一対の軸受けリブ１３を設けている。すなわち、背もたれ５の下端部が軸受けリブ１３で支持されるが、前後支持位置を変更することで、背もたれ５の側面視での初期角度を調節できる。
【００２１】
後部背フレーム７ｂに対する背もたれ５の連結構造は、背もたれ５の構造を説明してから後述する。本実施形態の椅子は、背もたれ５の後傾に連動して座３が後退しつつ後傾するシンクロタイプであるが、本願発明との直接の関係はないので、説明は省略する。
【００２２】
(2).背もたれの構造
次に、図４以下の図面も参照して背もたれ５の構造を説明する。図６に示すように、背もたれ５は、バックフレーム１６とこれにインサート成形で一体に取り付けられたバックシート１７とで構成されている。バックフレーム１６はシート支持フレームの一例であり、バックシート１７は身体支持シートの一例である。
【００２３】
バックフレーム１６はポリプロピレン等の硬質樹脂を素材とした成形品であり、上下方向に長い左右サイドメンバー１８と、左右サイドメンバー１８の上端間に一体に繋がった左右横長のアッパーメンバー１９と、前記サイドメンバー１８の下端間に一体に繋がった左右横長のロアメンバー２０とを有しており、前後に開口している。他方、バックシート１７はエラストマー製であり、柔軟性を有している。
【００２４】
例えば図１（Ｂ）に示すように、背もたれ５は、着座した人の腰部が当たるランバーサポート部５ａを有しており、このため、側面視及び縦断側面視で前向き突形の形状になっている。正確に述べると、バックシート１７は、縦断側面視でランバーサポート部５ａが最も前に位置するように湾曲している。また、バックシート１７は、平面視では前向き凹状に緩く湾曲しているが、湾曲の程度はランバーサポート部５ａで最も大きくて、上に行くに従って湾曲の程度は小さくなっており、上端では平坦に近い形態になっている。なお、ランバーサポート部５ａは平面視で左右横長の直線状に延びる形態にすることも可能である。
【００２５】
例えば図４に示すように、背もたれ５は、ランバーサポート部５ａの箇所で最も左右横幅が大きくて、ランバーサポート部５ａから上と下に離れるに従って横幅が小さくなるように設定している。従って、背もたれ５（背インナーシェル１８）は正面視で略六角形に近い形状になっている。ランバーサポート部５ａは背インナーシェル１８の下部に寄っているので、背もたれ５は、下膨れの六角形状の形態になっており、ランバーサポート部５ａの左右端部は、正面視で横向き突出した山形の形態を成している。
【００２６】
そして、例えば図６（Ａ）から理解できるように、バックフレーム１６におけるサイドメンバー１８のうちランバーサポート部５ａの左右端部に、背支柱１２の上端の頭部１２ａに連結するためのサイド連結部２１を設け、ロアメンバー２０の左右中間部には背フレーム７に連結するためのロア連結部２２を下向きに突設し、アッパーメンバー１９の左右中間部にはハンガー取り付け部２３を設けている。
【００２７】
従って、バックフレーム１６は、これら左右サイド連結部２１とロア連結部２２とハンガー取り付け部２３との４カ所のみが外側に露出しており、他の部位はバックシート１７に包み込まれている。すなわち、バックシート１７の外周部は、バックフレーム１６の左右サイド連結部２１とロア連結部２２とハンガー取り付け部２３との４カ所を除いて抱持部（筒状部）２４，２５，２９になっている。後部背フレーム７ｂに対するバックフレーム１６の連結構造は本願発明と直接の関連はないので、説明は省略する。
【００２８】
図８に示すように、バックフレーム１６のサイドメンバー１８は三角形を潰したような平断面形状であり、平田断面視で左右方向に長い形態になっている。バックシート１７のうちバックフレーム１６のサイドメンバー１８を包み込んだサイド抱持部２４は、平断面視で概ね台形状の外形になっている。他方、図７（Ｂ）に示すように、バックフレーム１６のアッパーメンバー１９は後ろ向きに突出した庇部１９ａを有しており、ハンガー取り付け部２３は庇部１９ａの下方に隠れた状態に形成されている。ハンガー取り付け部２３は、上カバー２６で覆われている。
【００２９】
図７（Ｂ）のとおり、バックフレーム１６のアッパーメンバー１９は、後ろ向きに突出した庇部１９ａを有することで湾曲した側断面形状になっており、バックシート１７のアッパー抱持部２５はバックフレーム１６のアッパーメンバー１９と略相似形になっている。例えば図６（Ｃ）に示すように、バックフレーム１６のロアメンバー２０は、基本的には概ね角形で、前面にはＶ形の前溝２８が形成されている。バックシート１７のロア抱持部２９は概ねフラットになっており、従って、バックシート１７のロア抱持部２９は、基本的にはロアメンバー２０と相似形の断面形状である。
【００３０】
このように、バックフレーム１６の大部分はバックシート１７の抱持部２４，２５，２９で抱き締められているため、取り付け強度が非常に高くてバックシート１７がバックフレーム１６から外れるようなことはないと共に、美観も優れている。本実施形態のようにロアメンバー２０に前溝２８を形成すると、バックシート１７とバックフレーム１６との接着性を向上できる利点がある。同様に、アッパーメンバー１９に庇部１９ａを設けると、アッパーメンバー１９とアッパー抱持部２９との接着性を向上できる利点がある。
【００３１】
例えば図８に明示するように、バックシート１７は凹凸状の平断面形状になっている。正確に述べると、バックシート１７の表面には、上下長手の前向き凸部（凸条）１７ａと前向凹部（溝条）１７ｂとが左右方向に交互に並べて形成されている一方、バックシート１７の背面には、上下長手の後ろ向き凹部（溝条）１７ｄと後ろ向き凸部（凸条）１７ｃとが左右方向に交互に並べて形成されているが、前向き凸部１７ａと後ろ向き凹部１７ｃとを正面視で略前後に重ねて配置し、前向き凹部１７ｂと後ろ向き凸部１７ｄとを正面視で略前後に重ねて配置している。
【００３２】
従って、バックシート１７は、略同じ程度の厚さで凹凸が連続した平断面形状になっている。端的に述べると、バックシート１７は、板材をジグザグに折り曲げたような外観を呈しており、一種の蛇腹構造になっている。このため、バックシート１７は、着座者の体圧によって左右方向に大きく伸び変形することが許容されている（曲がり変形も容易になっている。）。このため、バックシート１７は、極めて高いクッション性とフィット性とを有している。
【００３３】
また、例えば図４から容易に理解できるように、凸部と凹部１７ａ〜１７ｄの左右幅寸法と左右ピッチとはランバーサポート部５ａの箇所において最も小さく、ランバーサポート部５ａから上下に離れるに従って凸部と凹部１７ａ〜１７ｄの左右幅寸法と左右ピッチとは広がっている。
【００３４】
このように、凸部と凹部１７ａ〜１７ｄの左右幅寸法と左右ピッチとはランバーサポート部５ａの箇所において最も小さくなっていることと、ランバーサポート部５ａが前向き凸の側断面形状であることとにより、ランバーサポート部５ａはロッキング状態でも人の体圧で下向きに凹むようなことはなく、身体支持機能を発揮する。なお凹凸１７ａ〜１７ｄは、ランバーサポート部５ａから遠ざかるに従って突出寸法（或いは深さ）が小さくなるように設定することも可能である。
【００３５】
本実施形態では凸部１７ａ，１７ｄ及び凹部１７ｂ，１７ｃはバックシート１７の外周縁まで延びているが、バックシート１７のうち外周よりも内側のエリアに凸部１７ａ，１７ｄ及び凹部１７ｂ，１７ｃの群を形成することも可能である。つまり、バックシート１７の周囲の部位は適宜幅で平坦状の非変形部と成し、その内側を、凸部１７ａ，１７ｄ及び凹部１７ｂ，１７ｃの群が形成された延び変形許容部と成すことも可能である。
【００３６】
図８（Ｂ）に太線で示すように、前向き凸部１７ａの前面（頂面）と後ろ向き凸部１７ｃの後面（頂面）とに、艶消し状のシボ模様を形成することが可能である。シボ模様は、成形用金型のうち凸部１７ａ，１７ｃを成形する部分をサンドブラスト加工等で粗雑面とする（或いは梨地にする）ことで形成できる。
【００３７】
そして、前向き凸部１７ａの前面と後ろ向き凸部１７ｂの後面とにシボ模様を形成すると、バックシート１７が透明な樹脂であっても、シボ模様の箇所はスリガラスのように光透過性が著しく悪くなるため、バックシート１７には縦のストライプが形成されたような状態になって、バックシート１７自体（或いは背もたれ５自体）として意匠的に優れたものになる。また、あるバックシート１７にある程度の透光性を確保させつつ、人の背が透けて見えることを防止又は著しく抑制できるという利点もある。更に、シボ模様の存在により、背が縦ずれしにくくなることも期待できる。
【００３８】
バックシート１７には、シボ模様の他に他の模様類を付加することも可能である。例えば、網目模様や水玉模様、或いは細かい間隔のストラライプ（縦方向又は横歩行）などを付加することが可能であり、これらは頂面のみに設けてもよいし、凹部のみに設けてもよい。或いは、前面に設けることも可能である。
【００３９】
(3).その他
本願発明は、上記の実施形態の他にも様々に具体化できる。例えば、バックフレームや身体支持シートの形態は必要に応じて任意に設定できる。バックフレームとしては金属ダイキャスト品や板金加工品を使用することも可能である。バックシートのような身体支持シートとしては、例えばポリエチレンやポリプロピレンなども使用できる。この場合は、スリットを形成したり部分的に薄肉化したりすることで高い柔軟性を確保することができる。バックフレーム等の身体支持シートの表面にクッションや表皮材を張ることも可能である。凸部や凹部はその長手方向に断続させることも可能である。
【００４０】
バックシート等の身体支持シートをバックフレーム等のシート支持フレームに取り付ける手段はインサート成形には限らず、押さえ部材で押さえ保持したりビスで固定したり、或いは、嵌め込み方式を採用したりすることも可能である。凹凸の形態も、必要とする柔軟性や強度等の条件に応じて適宜変更できる。例えば、凸部と凹部との群を左右方向に飛び飛びに形成することも可能である。座に適用する場合、凹部と凸部とは、左右方向に長く延びる（前後方向に並ぶ）形態とすることも可能である。どの方向に伸び変形するかは必要に応じて任意に設定できる。凹部と凸部とを同心円状に広がる形態とすることも可能である。
【産業上の利用可能性】
【００４１】
本願発明は椅子に具体化することができる。従って、産業上利用できる。
【符号の説明】
【００４２】
４  座
５  背もたれ
５ａ  ランバーサポート部
７  背フレーム
７ａ  前部背フレーム
７ｂ  後部背フレーム
１３  軸受けリブ
１６  シート支持フレームの一例としてのバックフレーム
１７  身体支持シートの一例としてのバックシート
１７ａ  前向き凸部
１７ｂ  前向き凹部
１７ｃ  後ろ向き凸部
１７ｄ  後ろ向き凹部
【図１】
2013103066.tif 000003
【図２】
2013103066.tif 000004
【図３】
2013103066.tif 000005
【図４】
2013103066.tif 000006
【図５】
2013103066.tif 000007
【図６】
2013103066.tif 000008
【図７】
2013103066.tif 000009
【図８】
2013103066.tif 000010